(57)【要約】      （修正有）【課題】  引越や新しく家具を購入する際に、事前に配置を検討する為の型紙用紙を提供する。【解決手段】  紙又は布に所定間隔で縦横の線を印刷した型紙、および、家具の奥行を大別しそれに合わせた型紙をもって、家具等の原寸大の平面型紙を簡単に作製、持ち運びできるようにする。また、その型紙を引越し先又は家具を置く予定位置に置き家具等の配置を検討確認する。また、原寸大に作製された平面型紙に、品名、奥行、幅、高さを記入する。そして、その型紙を家具等を置く予定位置に置く。そして、梁、コンセント、カーテンレール、ドアの開き具合、ドアと窓の額縁等との取り合いを、平面的立体的に確認する。また、配置具合や使い勝手も立体的なイメージの中で体感することで、家具等の置く位置を確実に決める。そして、問題がなければその位置にテープで型紙を固定し、家具等の搬入まで置いておく。【選択図】      図３−ａ
2005297533.tif 000002
【特許請求の範囲】
【請求項１】
紙又は布に、所定間隔で縦横の線を印刷し、家具等の寸法を取り、紙又は布に線を引かずに簡単に原寸大の型紙を作製することができることを特徴とする家具等配置型紙。
【請求項２】
家具の奥行を大別すると二通りあり、請求項１の型紙をその奥行に合わせたことを特徴とする家具等配置型紙。
【請求項３】
請求項1、請求項２を使用することにより、型紙を作製する工程、型紙を持ち運ぶ工程、型紙を配置場所に置く工程、型紙で家具等の配置を確認し、イメージし、体感し、検討する工程、引越し作業する工程、これら全ての工程において簡単確実迅速にできる引越し作業省力化方法。
【発明の詳細な説明】
【技術分野】
【０００１】
この発明は、家具等の配置を決めるために使用する型紙に関する。
【背景技術】
【０００２】
コンピューターで3次元パースを画いたり、机上で縮小図面により家具の配置を決める方法はあるが、梁、コンセント、カーテンレール等との取り合いの不具合は判りづらい。
【特許文献１】特開平６−２２３１４１
【特許文献２】特開平７−１８２４０３
【特許文献３】特開２００１−２０９６７２
【特許文献４】特開２００２−２４５０９６
【特許文献５】特開２００２−９２１２６
【特許文献６】特開２００４−１３５００
【発明の開示】
【発明が解決しようとする課題】
【０００３】
これまで、引越や家具を新しく購入する際に、建物の梁や柱、コンセント、ドアの開き具合、カーテンレール等との取り合いの不具合が、家具等を実際に置いてみて判明し、置き換えや買い替えをして、時間やお金の無駄が多く発生していた。そこで、この発明は家具等配置型紙を提供することで、簡単に型紙ができ、家具等の配置場所を検討する作業が簡単確実にでき、引っ越し作業の省力化につながり、時間やお金の無駄をなくし、無駄な物の廃棄をなくすことを課題とする。
【課題を解決するための手段】
【０００４】
以上の課題を解決するために、第一発明は、紙又は布に、所定間隔で縦横の線を印刷し、第1の間隔で太く、第2の間隔で細い線とすることを特徴とする型紙である。
また、平面で家具等の寸法をとり原寸大に型紙を作製し、その型紙に家具の幅、奥行、高さと品名を書き込み、引越先又は家具を置く予定位置に置き、取り合いの不具合がないかその位置で高さまでを確認し又イメージする、そして、問題がなければその位置に型紙をテープ等で固定し家具等の搬入まで置いておくこれら一連の作業が、簡単に行え持ち運びも簡単なことを特徴とする型紙である。
第二の発明は、家具の奥行を大別すると、４５cmと６０cm又はその寸法に近い家具が多いので、型紙の奥行をその2種類に合わせ、一辺の切断で簡単に作製できるようにしたことを特徴とする型紙である。
第三の発明は、第一第二で発明した型紙を使用して、引越し時に引越し先に持ち込む家具等の原寸大の平面型紙を作る。そしてその平面型紙に、品名、奥行、幅、高さを記入する。その型紙を引越し先に持って行き、家具等の配置予定場所に置いてみる。そして、建物の梁や柱、扉や窓の額縁、カーテンレールやコンセント等との取り合いの不具合を、平面的に立体的に判明させる。その上、配置や使い勝手等を立体的にイメージして体感し、家具等の配置場所を間違いなく決定する。そして、その位置に型紙をテープ等で固定し引越し時まで置いておく事を特徴とする方法である。
【発明の効果】
【０００５】
第一の発明によれば、簡単に型紙を作製し使用することができる。
引越や家具購入時の家具等の置き換えと、買い替えの時間とお金の無駄を無くすことができる。
第二の発明によれば、これまで型紙を作製する作業は最少でも二辺の切断が必要であったが、家具の特徴から考案した、奥行が４５cm・６０cmの二種類の型紙は、家具等の前に置き最少で一辺だけを切断するだけの、ごく単純な作業で型紙が作製できるようになった。これにより、初めて経験する人でも簡単に確実に作業できるようになった。
第三の発明によれば、第一第二の発明の型紙を使用することで、初めて経験する人でも簡単確実に原寸大の平面型紙を作製することができます。そして、軽くて薄くて折りたたみが簡単なため、引越し先への持ち運びに便利です。その上、折じわが簡単に伸ばせるので、配置場所に置くことが容易で家具等配置の検討確認作業がとてもスムーズに行えます。また、型紙には品名、奥行、幅、高さを記入してあるので、三次元パースや縮小図面のようなデジタル的な見方による確認方法より、原寸大の型紙を置き実際に取り合いを確認し、さらに、立体的なイメージの中で体感する、人間の行動や感覚にそったアナログ的な方法で確認できますので、確実に間違いや思い違いを無くします。そして、決定した配置場所に型紙を置いておくことで、引越し作業時の家具等の置き換えや家具等の配置を考え直す時間を無くします。これらの方法により、引越し作業の大幅な時間短縮になり省力化になります。また、無駄な家具等の購入や廃棄が無くなり、省エネルギー効果に、地球温暖化防止にも役立ちます。
【発明を実施するための最良の形態】
【０００６】
第一の発明の実施形態を［図１−ａ］に示す。この型紙の大きさは任意であるが有効利用を考慮して、方眼紙の10倍の寸法の１．８ｍ×２．６mとし、型紙の材質は、軽くて薄くて破れにくく、はさみで切りやすく、折り目が伸ばしやすく、文字が書きやすい紙又は不織布である、また、線を印刷するところにミシン目を入れて切断器具を使用せずに所定間隔で型紙を作製することができる。また、［図２］に示す寸法取り表と１８センチ×２６センチの方眼紙を用いて、方眼紙に10分の１の寸法で型紙の下書きを行い、型紙の有効利用を考え型紙の無駄をなくす。
第二の発明の実施形態を［図１−ｂ］に示す、第一の発明の型紙を奥行は４５cm幅は任意であるが一応３６０cm、また、奥行は６０cm幅は任意であるが一応３６０cmにて製作し６０cm間隔で品名、奥行、幅、高さ、を印刷しておく。
第三の発明の実施方法は、できるだけ正確に型紙を作製し、必ず品名、奥行、幅、高さ、を書き入れる事です。［図３−a］のように整理タンス、和タンス、食器棚の奥行はほぼ４５cmですので、家具の奥行を測りその家具より大きくて近い寸法、例えば奥行が４４cmならば４５cmの型紙、洋服タンス、冷蔵庫の奥行はほぼ６０cmですので奥行寸法をはかり、奥行が５８cmならば６０cmの型紙を選択し、家具の前で型紙を広げ家具の幅に合わせて１辺を切断する。家具の奥行と型紙が合わない場合は切断した型紙を丸めて奥行にあわせて端を切断する。このように最大でも２辺の切断で簡単に型紙が作製できます。４５cm、６０cmの型紙で補えない家具は家具の寸法を取り［図３−ｆ］の寸法取り表に書き込み、それを基に［図３−ｂ］のように10分の1の寸法で、方眼紙に無駄の無いように家具平面図を書き、それを基に無駄の無いよう大判の型紙を切断し型紙を作製します。その際も必ず品名、奥行、幅、高さ、を書き入れます。
作製した型紙で、引越し先又は新しく家具を置くところで［図３−ｃ］［図３−ｄ］のように、家具と梁が当らないか、カーテンレールと当らないか、柱の出っ張りが思っていたより大きくないか、ドアの開き具合やドアの額縁との取り合いは悪くないか、コンセントの位置は大丈夫かなどを、平面的にも立体的にも確認する。また、家具は置けるが実際の使い勝手を判断するのに、［図３−ｅ］のように型紙にメジャーをあてて高さをだし立体的なイメージの中で、使う振りをしたり周りを歩いたりして体感し、確実な判断をする。
このような一連の作業の結果、問題がなければその型紙をその場所にテープ等で固定し家具等の搬入まで置いておく。また、寸法取り表に家具等を置く部屋名を書いて、それを基に搬入する家具等に部屋名を記しておけばより効果的である。
【実施例】
【０００７】
この実施形態によれば、簡単に型紙を作製でき、持ち運びも便利で、型紙を置く作業がしやすい。また、原寸大の型紙の効果は［図３−ａ］［図３−ｂ］［図３−ｃ］［図３−ｄ］［図３−ｅ］［図３−ｆ］のように実際の置いた状態で取り合いを確認できますし、イメージして体感できます。そして、人間の行動や感覚はアナログですからこの実施方法で確認すれば、間違いは限りなく無くなります。その事が、引越し時の家具等を置き換える作業や、置き換えの場所を考える時間を無くし、引越し作業の大幅な時間短縮になり省力化になります。さらに、無駄な家具等の買い替えや、家具等の廃棄が無くなり、省エネルギー効果や、地球温暖化防止に役立ちます。また、10分の1の寸法型紙は、机上での家具配置検討用として使用でき、希薄になりがちな家族の団欒をも創造できます。
【産業上の利用可能性】
【０００８】
原寸大の平面型紙を使用して家具等の配置を決める方法は、引越し作業の大幅な時間の短縮になりますので、引越し産業での利用は大変有効な方法です。
【図面の簡単な説明】
【０００９】
【図１−ａ】1ページ目は型紙に線を縦横に印刷した状態を示した平面図です
【図１−ｂ】４５cm、６０cmの奥行に合わせた幅３６０cmの型紙で、品名、奥行、幅、高さ、を６０cmピッチで印刷してある平面図と側面図です。
【図２】寸法取り表と方眼紙を示した図です。
【図３−ａ】奥行４５cm、６０cmの型紙の使用方法を４５cmの型紙を例にとって示した図です。
【図３−ｂ】方眼紙の使用方法を、品名、奥行、幅、高さ、を書き込んで示しています。
【図３−ｃ】引越し先での型紙を使った確認方法を例にとって示した図です。
【図３−ｄ】引越し先での型紙を使った確認方法を例にとって示した図です。
【図３−ｅ】引越し先での型紙を使った確認方法で、メジャーで型紙の位置に高さを出して家具等の大きさをイメージし体感する例を示した図です。
【図３−ｆ】寸法取り表に、品名、部屋名、奥行、幅、高さ、を書き入れた例を示した図です。
【符号の説明】
【００１０】
１．大判型紙の平面図
２．奥行４５cmの型紙の平面図
３．奥行６０cmの型紙の平面図
４．太い線
５．細い線
６．奥行４５cm、６０cm、の型紙の側面図
７．寸法取り票（A列４番の大きさの紙）
８．方眼紙（A列４番の大きさの紙）
９．奥行４５cmの型紙
１０．方眼紙に10分の1の寸法で家具を割り付けて書き入れた図
１１．家具と梁が当らないか確認している側面図
１２．カーテンレールと家具が当らないか確認している平面図
１３．カーテンレールと家具が当らないか確認している側面図
１４．柱と家具が当らないか確認している平面図
１５．ドアと家具、ドアの額縁と家具が当らないか確認している平面図
１６．コンセントと家具が当らないか確認している平面図
１７．家具配置と使い勝手を、型紙を使って体感しイメージする平面図
１８．寸法取り表に書き込んだ例を示した図
【図１−ａ】
2005297533.tif 000003
【図１−ｂ】
2005297533.tif 000004
【図２】
2005297533.tif 000005
【図３−ａ】
2005297533.tif 000006
【図３−ｂ】
2005297533.tif 000007
【図３−ｃ】
2005297533.tif 000008
【図３−ｄ】
2005297533.tif 000009
【図３−ｅ】
2005297533.tif 000010
【図３−ｆ】
2005297533.tif 000011